(57)【要約】【課題】容易に体積を減少させることが可能な包装容器を提供すること。【解決手段】包装容器１は、被包装体Ｔを収納するとともに、その上部が開口する方体状の収納体５と、その下部が開口し、収納体５の開口を閉塞する方体状の蓋体６と、収納体５及び蓋体６に一体に形成され、蓋体６を収納体５に対して回動可能形成されたヒンジ部７と、収納体５及び蓋体６の一対の側壁１３，２３、収納体５の底壁及び蓋体６の上壁２４にそれぞれ設けられ、一対の側壁１３，２３、底壁及び上壁２４の面方向に沿って連続して形成され、収納体５及び蓋体６の変形を案内する案内部８と、を備える構成とする。【選択図】図１
2014005026.tif 000002
【特許請求の範囲】
【請求項１】
被包装体を収納するとともに、その上部が開口する方体状の収納体と、
その下部が開口し、前記収納体の開口を閉塞する方体状の蓋体と、
前記収納体及び前記蓋体に一体に形成され、前記蓋体を前記収納体に対して回動可能形成されたヒンジ部と、
前記収納体及び前記蓋体の一対の側壁、前記収納体の底壁及び前記蓋体の上壁にそれぞれ設けられ、前記一対の側面、前記底壁及び前記上壁の面方向に沿って連続して形成され、前記収納体及び前記蓋体の変形を案内する案内部と、
を備えることを特徴とする包装容器。
【請求項２】
前記案内部は、前記収納体及び前記蓋体の幅方向及び高さ方向に沿って連続して直線状に延設された、前記収納体及び前記蓋体の他部よりも強度が低く形成された脆弱部を備えることを特徴とする請求項１に記載の包装容器。
【請求項３】
前記案内部は、前記収納体の前記側壁及び前記底壁の稜部であって、前記収納体の前記側壁及び前記底壁の少なくとも一方、並びに、前記蓋体の前記側壁及び前記上壁の稜部であって、前記蓋体の前記側壁及び前記底壁の少なくとも一方に、前記収納体及び前記蓋体の前記幅方向及び前記高さ方向に対して傾斜する脆弱部をさらに備えることを特徴とする請求項２に記載の包装容器。
【請求項４】
前記案内部は、前記収納体の側壁及び前記底壁、並びに、前記蓋体の前記側壁及び前記上壁に形成された圧痕及び切断部の少なくとも一方であることを特徴とする請求項１乃至請求項３のいずれかに記載の包装容器。
【発明の詳細な説明】
【技術分野】
【０００１】
本発明は、被包装体を包装する包装容器に関する。
【背景技術】
【０００２】
現在、紙巻たばこ等の被包装体を包装する包装容器として、被包装体を収納する収納体と、この収納体の開口端を覆う蓋体が設けられ、収納体に対して蓋体が回動可能なものが知られている（例えば、特許文献１及び特許文献２参照）。このような包装容器は、蓋体を回動させて収納体の開口端が開放する状態とすることで、収納体内の被包装体を取り出し可能となる。
【先行技術文献】
【特許文献】
【０００３】
【特許文献１】特開２００８−０８７７７５号公報
【特許文献２】特開２００２−９６８２３号公報
【発明の概要】
【発明が解決しようとする課題】
【０００４】
上述した包装容器では、以下の問題があった。即ち、上述した包装容器は、紙材で方体状に形成されている。このため、包装容器を廃棄する場合には、その体積を減少させるために、潰すか又は捻じることで変形させて捨てられている。しかし、包装容器は、その強度が各部位により異なることから、変形させても、変形後の体積や形状が均一ではなく、体積の減少することが困難であった。
【０００５】
例えば、包装容器は、接着部を離間させることでブランクの状態となり、体積を低減させることも可能である。しかしブランクの状態とする作業は手間がかかることから、廃棄のために包装容器をブランクとする作業が行われることが少ない。
【０００６】
そこで本発明は、容易に体積を減少させることが可能な包装容器を提供することを目的としている。
【課題を解決するための手段】
【０００７】
前記課題を解決し目的を達成するために、本発明の包装容器は次のように構成されている。
【０００８】
本発明の一態様として、被包装体を収納するとともに、その上部が開口する方体状の収納体と、その下部が開口し、前記収納体の開口を閉塞する方体状の蓋体と、前記収納体及び前記蓋体に一体に形成され、前記蓋体を前記収納体に対して回動可能形成されたヒンジ部と、前記収納体及び前記蓋体の一対の側壁、前記収納体の底壁及び前記蓋体の上壁にそれぞれ設けられ、前記一対の側面、前記底壁及び前記上壁の面方向に沿って連続して形成され、前記収納体及び前記蓋体の変形を案内する案内部と、を備える。
【発明の効果】
【０００９】
本発明によれば、容易に体積を減少させることが可能な包装容器を提供することが可能となる。
【図面の簡単な説明】
【００１０】
【図１】本発明の第１の実施形態に係る包装容器の構成を示す斜視図。
【図２】同包装容器の構成を示す斜視図。
【図３】同包装容器のブランクの構成を示す平面図。
【図４】同包装容器のブランクの構成を示す平面図。
【図５】同包装容器の構成を示す斜視図。
【図６】本発明の第２の実施形態に係る包装容器の構成を示す斜視図。
【図７】同包装容器のブランクの構成を示す平面図。
【図８】同包装容器のブランクの構成を示す平面図。
【図９】本発明の第３の実施形態に係る包装容器のブランクの構成を示す平面図。
【図１０】本発明の第４の実施形態に係る包装容器のブランクの構成を示す平面図。
【図１１】本発明の第５の実施形態に係る包装容器のブランクの構成を示す平面図。
【発明を実施するための形態】
【００１１】
以下、本発明の第１の実施形態に係る包装容器１を、図１乃至図５を用いて説明する。  
図１は本発明の第１の実施形態に係る包装容器１の構成を前方から示す斜視図、図２は本発明の一実施の形態に係る包装容器１の構成を後方から示す斜視図、図３は包装容器１に用いられる第１ブランク３の構成を示す平面図、図４は包装容器１に用いられる第２ブランク４の構成を示す平面図、図５は同包装容器１の構成を示す斜視図である。
【００１２】
なお、本実施形態においては、包装容器１は、底壁及び上壁２４が対向する方向を高さ方向、ヒンジ部７の延設方向（一対の第１、第２側壁１３，２３が対向する方向）を幅方向、並びに、第１、第２前壁１１，２１及び第１、第２後壁１２，２２が対向する方向を厚み方向として、以下説明する。
【００１３】
図１及び図２に示すように、包装容器１は、収納体５と、蓋体６と、ヒンジ部７と、案内部８と、を備えている。包装容器１は、これら収納体５、蓋体６及びヒンジ部７が一体に形成される。包装容器１は、被包装体の包装時においては、その外形状が略直方体に形成されている。
【００１４】
また、包装容器１は、包装容器１の外郭を形成する外体９と、外体９の内部に位置し、包装容器１の内部形状の一部を形成し、包装容器１の開状態において外部に露出する、図４にブランク２で示す内体１０と、を備えている。
【００１５】
外体９は、収納体５の一部、蓋体６及びヒンジ部７を構成する。内体１０は、収納体５の他部を構成する。内体１０は、その外面が、包装容器１の閉状態において、蓋体６の内面と当接することで、蓋体６の開状態への移動を規制可能に形成されている。
【００１６】
包装容器１は、図３及び図４に示すように、紙素材から、打ち抜き加工により形成されたブランク２を組み立てることで形成される。
【００１７】
このような包装容器１は、例えば、被包装体である紙巻たばこを包装可能な、所謂たばこ箱であり、収納体５内部に内包体を有している。包装容器１は、外体９及び内体１０の材料として、紙巻たばこを包装可能な紙素材が用いられる。
【００１８】
当該紙素材の一例として、例えばミードウエストベーコ社製、ハイイールドプリントコート（登録商標）のグラメジが２２１ｇ／ｍ３の紙素材が用いられる。なお、紙素材は、これに限定されず、適宜使用可能である。
【００１９】
内包体は、例えば、包装容器１の開封まで、紙巻たばこの束を直接包装し、紙巻たばこの劣化を防止可能に形成されている。内包体は、保湿性及び保香性等を有している。この内包体は、主として、アルミニウムの膜が蒸着又は積層された紙が用いられる。
【００２０】
収納体５は、外体９の一部と内体１０とにより構成されている。収納体５は、外体９の一部及び内体１０により、収納体５の内部を開口する開口端を有する方体状に形成されている。
【００２１】
具体的には、収納体５は、外体９によって上端部が後方から前方に向って下方に傾斜して開口するとともに、当該傾斜する開口の内周面に設けられた内体１０によって、当該開口の上端から延設された壁を形成し、上部が開口する略方体状の箱体に形成される。
【００２２】
収納体５は、外体９の一部により形成された第１前壁１１、底壁、第１後壁１２及び一対の第１側壁１３と、内体１０と、を備えている。第１前壁１１は、略矩形状、例えば、平面視で幅方向が高さ方向よりも短い長方形状に形成されている。
【００２３】
底壁は、その外縁が第１前壁１１、第１後壁１２及び一対の第１側壁１３に沿って形成される。例えば、底壁は、平面視で長方形状に形成され、第１前壁１１、第１後壁１２及び一対の第１側壁１３をこれら下端側で連結する。底壁は、図３のブランク２の後述する第１ブランク３に示すように、その中心であって、その長手方向、換言すると一対の第１側壁１３間を渡すように、包装容器１の幅方向に沿って延設された底壁案内部２５が形成されている。
【００２４】
第１後壁１２は、高さ方向に第１前壁１１よりも高い略長方形状に形成されるとともに、その上端の一部にヒンジ部７が形成され、当該ヒンジ部７を介して蓋体６が一体に形成されている。
【００２５】
第１側壁１３は、第１前壁１１及び第１後壁１２を連結するとともに、その上端が傾斜する台形状に形成されている。第１側壁１３は、その中心に、包装容器１の高さ方向に沿って延設された第１側壁案内部２６が形成されている。
【００２６】
内体１０は、第１前壁１１、及び、一対の第１側壁１３の内面に沿って設けられている。具体的には、図４にブランク２の後述する第２ブランク４で示すように、内体１０は、第１前壁１１に沿って設けられる前内壁１５及び一対の第１側壁１３に沿って設けられる一対の側内壁１６を備えている。
【００２７】
前内壁１５は、第１前壁１１の内面に設けられ、第１前壁１１の上端縁から突出する。側内壁１６は、一対の第１側壁１３の内面にそれぞれ設けられ、第１側壁１３の上端縁からそれぞれ突出する。
【００２８】
内体１０は、前内壁１５及び側内壁１６が第１前壁１１及び第１側壁１３の内面に接着剤等により接着されている。内体１０は、外体９の第１前壁１１及び第１側壁１３沿った壁を形成し、蓋体６の案内及び蓋体６のつぶれを防止可能に形成される。
【００２９】
また、内体１０は、前内壁１５及び側内壁１６の稜部に形成され、蓋体６の内面と干渉する突起部１７を備えている。突起部１７は、蓋体６が収納体５の開口端を閉塞時に、蓋体６の内面と干渉することで、蓋体６を収納体５に固定可能に形成されている。
【００３０】
蓋体６は、外体９の他部により、収納体５の上部と対向するその下部が開口する開口端を有する方体状の箱状に形成されている。蓋体６は、第２前壁２１と、第２後壁２２と、一対の第２側壁２３と、上壁２４と、を備えている。蓋体６は、収納体５の上部を覆うことで、収納体５の開口を閉塞可能に形成されている。
【００３１】
第２前壁２１は、平面視で幅方向が高さ方向よりも長く、且つ、その幅が第１前壁１１と略同一寸法の長方形状に形成されている。
【００３２】
第２後壁２２は、高さ方向に第１前壁２１よりも低い略長方形状に形成されている。第２後壁２２は、その下端縁にヒンジ部７を介して収納体５が一体に形成されている。即ち、第１後壁１２及び第２後壁２２は、その対向する境界に形成されたヒンジ部７により一体に形成されている。
【００３３】
第２側壁２３は、第２前壁２１及び第２後壁２２を連結するとともに、その下端が傾斜する台形状に形成されている。なお、第２側壁２３は、その下端の傾斜角度が、第１側壁１３の上端の傾斜角度と略同一の角度に形成されている。第２側壁２３は、その中心に、包装容器１の高さ方向に沿って、第１側壁案内部２６の延設方向と同方向、且つ、第１側壁案内部２６の延長上に延設された第２側壁案内部２７が形成されている。
【００３４】
上壁２４は、その外縁が第２前壁２１、第２後壁２２及び一対の第２側壁２３に沿って形成される。例えば、上壁２４は、平面視で長方形状に形成され、第２前壁２１、第２後壁２２及び一対の第２側壁２３を上端側で連結する。上壁２４は、その中心であって、その長手方向、換言すると一対の第２側壁２３間を渡すように包装容器１の幅方向に沿って延設された上壁案内部２８が形成されている。
【００３５】
ヒンジ部７は、第１後壁１２及び第２後壁２２間に設けられ、第１後壁１２及び第２後壁２２を一体に連結する。ヒンジ部７は、紙素材上に押圧によって形成された脆弱部であり、後述する圧痕５５ａ及び切断部５５ｂにより構成される。
【００３６】
案内部８は、包装容器１に外力が印加された場合に、包装容器１の変形を案内する脆弱部である。例えば、案内部８は、包装容器１の主面である、第１前壁１１、第１後壁１２、第２前壁２１及び第２後壁２２が押圧されたときに、第１側壁１３、底壁、第２側壁２３及び上壁２４の変形を案内可能に形成されている。
【００３７】
具体的には、案内部８は、底壁案内部２５と、第１側壁案内部２６と、第２側壁案内部２７と、上壁案内部２８と、を備えている。案内部８は、包装容器１に外力が印加された場合に、包装容器１が、第１、第２前壁１１，２１及び第１、第２後壁１２，２２が互いに近接する方向である、包装容器１の厚み方向に変形可能に、底壁、第１、第２側壁１３，２３、上壁２４が高さ方向及び幅方向に曲折可能に形成されている。
【００３８】
換言すると、案内部８は、底壁、第１、第２側壁１３，２３及び上壁２４に設けられ、これら第１側壁１３、底壁、第２側壁２３及び上壁２４の延設方向に沿って形成された脆弱部である。底壁、第１、第２側壁１３，２３及び上壁２４に設けられた案内部８は、底壁、第１、第２側壁１３，２３及び上壁２４の他部よりも、その強度が低く形成されることで、包装容器１に外力が印加された際に、優先的に変形する。
【００３９】
次に、このような包装容器１を形成するブランク２について図３及び図４を用いて説明する。なお、図３及び図４中、鎖線は、ブランク２の折線を示し、実線は切断部をそれぞれ示している。
【００４０】
なお、折線とは、ブランク２の組立時に、ブランク２を折り込む部位であり、ブランク２の曲折を案内する脆弱部である。折線は、例えば、ブランク２の製造時に、折線を案内する圧痕が形成されることで構成される。以下、鎖線で示す折線を「圧痕」として説明する。また、切断部とは、所謂切れ刃と呼ばれるブランク２形成時に切断した部位である。
【００４１】
図３及び図４に示すように、ブランク２は、第１ブランク３及び第２ブランク４を備えている。  
第１ブランク３は、収納体５の一部及び蓋体６からなる外体９を展開した形状に紙素材を打ち抜き加工により切断した素材片である。第１ブランク３は、後面３１と、底面３２と、第１前面３３と、上面３４と、一対の第１側面３５と、第２前面３６と、一対の第２側面３７と、接着面３８と、を備えている。
【００４２】
後面３１は、第１、第２後壁１２、２２、及び、ヒンジ部７を形成する。後面３１は、第１後壁１２及び第２後壁２２を組み合わせた方形状に形成され、圧痕５０，５１，５２を介して底面３２、上面３４、及び、接着面３８と一体に成形されている。
【００４３】
また、後面３１は、その一部に、圧痕５０，５１と平行に形成され、ヒンジ部７を形成する圧痕５５ａ、及び、圧痕５５ａに単数又は間欠的に複数設けられた切断部５５ｂが形成されている。後面３１は、圧痕５５ａを挟んで一方（図３中、下方）が第１後面４１を、他方（図３中、上方）が第２後面４２を形成する。
【００４４】
後面３１は、圧痕５０，５１，５２が曲折されることで、第１後面４１及び第２後面４２により、底面３２（底壁）及び上面３４（上壁２４）に対して直交する第１後壁１２及び第２後壁２２を構成する。
【００４５】
底面３２は、底壁を形成する。底面３２は、方形状に形成され、圧痕５０，５７を介して後面３１及び第１前面３３と一体に成形されている。底面３２は、圧痕５０，５７が曲折されることで、後面３１（第１後壁１２及び第２後壁２２）に対して直交する底壁を構成する。また、底面３２は、その中心であって圧痕５０，５７に平行に形成され、案内部８の底壁案内部２５を構成する圧痕８１が形成されている。
【００４６】
第１前面３３は、第１前壁１１を形成する。第１前面３３は、方形状に形成され、圧痕５７,５８を介して底面３２及び一対の第１側面３５と一体に成形されている。第１前面３３は、圧痕５７,５８が曲折されることで、底面３２（底壁）に対して直交する第１前壁１１を構成する。
【００４７】
上面３４は、上壁２４を形成する。上面３４は、方形状に形成され、圧痕５１,６０を介して後面３１及び第２前面３６に一体に形成されている。上面３４は、圧痕５１,６０が曲折されることで、後面３１（第１後壁１２及び第２後壁２２）及び第２前面３６（第２前壁２１）に対して直交する上壁２４を構成する。また、上面３４は、その中心であって圧痕６０，６３に平行に形成され、案内部８の上壁案内部２８を形成する圧痕８２が形成されている。
【００４８】
一対の第１側面３５は、第１側壁１３を形成する。第１側面３５は、一つの辺、図３においては、下方に位置する辺が傾斜する台形状に形成され、圧痕５８を介してそれぞれ第１前面３３と一体に成形されている。第１側面３５は、圧痕５８が曲折されることで、第１前面３３（第１前壁１１）に対して直交する第１側壁１３を構成する。
【００４９】
また、一対の第１側面３５は、その中心であって、圧痕５８にそれぞれ平行に形成され、案内部８の第１側壁案内部２６を形成する圧痕８３が形成されている。
【００５０】
第２前面３６は、第２前壁２１を形成する。第２前面３６は、方形状に形成され、圧痕６０，６１，６３を介して上面３４、一対の第２側面３７及び接着面３８と一体に成形されている。第２前面３６は、圧痕６０，６１，６３が曲折されることで、上面３４（上壁２４）に対して直交する第２前壁２１を構成する。
【００５１】
一対の第２側面３７は、第２側壁２３を形成する。第２側面３７は、一つの辺、図３においては、上方に位置する辺が、第１側面３５の傾斜する辺と同一の角度で傾斜する台形状に形成され、圧痕６１を介してそれぞれ第２前面３６と一体に成形されている。第２側面３７は、その傾斜する辺が、第１側面３５の傾斜する辺と互いに係合可能に形成され、当該辺同士が係合することで、第１側面３５及び第２側面３７は、方形状に形成される。
【００５２】
第２側面３７は、圧痕６１が曲折されることで、第２前面３６（第２前壁２１）に対して直交する第２側壁２３を構成する。また一対の第２側面３７は、その中心であって、圧痕６１にそれぞれ平行に形成され、案内部８の第２側壁案内部２７を形成する圧痕８４が形成されている。
【００５３】
接着面３８は、一対の側面接着面４４と、一対の底面接着面４５と、一対の上面接着面４６と、前面接着面４７と、を備えている。
【００５４】
一対の側面接着面４４は、第１側面３５と接着する第１側面接着面４８及び第２側面３７と接着する第２側面接着面４９を備えている。一対の側面接着面４４は、第１側壁１３及び第２側壁２３の内面を構成する。一対の側面接着面４４は、第１側壁１３及び第２側壁２３を組み合わせた方形状に形成され、圧痕５２，６４，６６を介して後面３１、一対の底面接着面４５及び一対の上面接着面４６と一体に成形されている。
【００５５】
また、一対の側面接着面４４は、後面３１の切断部５４と連続する切断部５６を有し、この切断部５６を介して一方（下方）が第１側面接着面４８を、他方（上方）が第２側面接着面４９を形成する。
【００５６】
切断部５６は、第１、第２側面３５，３７の傾斜角度と略同一角度で傾斜する。一対の側面接着面４４は、圧痕５２が曲折されることで、第１側面接着面４８及び第２側面接着面４９が後面３１（第１後面４１及び第２後面４２）に対して直交し、第１側面３５及び第２側面３７とそれぞれ対向する。
【００５７】
第１側面接着面４８は、その中心であって、圧痕５２にそれぞれ平行に形成された圧痕８５、圧痕８５上の一部が間欠的に複数切断された切断部８６、及び、圧痕６４の両端部からそれぞれ圧痕８５に向かって傾斜する圧痕８７が形成されている。
【００５８】
なお、第１側面接着面４８は、第１側面３５と接着したときに、圧痕８５及び切断部８６が第１側面３５の圧痕８３と重なる位置に、圧痕８５及び切断部８６が配置される。また、第１側面接着面４８は、圧痕６４及び圧痕８７で形成される領域を除く領域で第１側面３５と接着される。なお、第１側面接着面４８は、圧痕６４及び圧痕８７で形成される領域を除く領域で第１側面３５と接着されることが望ましいが、必要に応じて、第１側面接着面４８の全面において、第１側面３５と接着される構成であってもよい。圧痕８７は、その形状により、第１側面接着面４８の端部の変形を案内する。
【００５９】
このように、第１側壁案内部２６は、第１側面接着面４８が第１側面３５に接着したときに、第１側面３５の圧痕８３、第１側面接着面４８の圧痕８５及び切断部８６、並びに、第１側面接着面４８の圧痕８７により形成される。
【００６０】
第２側面接着面４９は、その中心であって、圧痕５２にそれぞれ平行に形成された圧痕８８、圧痕８８上の一部が切断された切断部８９、及び、圧痕６６の両端部からそれぞれ圧痕８８に向かって傾斜する圧痕９０が形成されている。
【００６１】
なお、第２側壁案内部４９は、第２側面３７と接着したときに、圧痕８８及び切断部８９が第２側面３７の圧痕８４と重なる位置に、圧痕８８及び切断部８９が配置される。また、第２側面接着面４９は、圧痕６６及び圧痕９０で形成される領域を除く領域で第２側面３７と接着される。なお、第２側面接着面４９は、圧痕６６及び圧痕９０で形成される領域を除く領域で第２側面３７と接着されることが望ましいが、必要に応じて、第２側面接着面４９の全面において、第２側面３７と接着される構成であってもよい。圧痕９０は、その形状により、第２側面接着面４９の端部の変形を案内する。
【００６２】
このように、第２側壁案内部２７は、第２側面接着面４９が第２側面３７に接着したときに、第２側面３７の圧痕８４、第２側面接着面４９の圧痕８８及び切断部８９、並びに、第２側面接着面４９の圧痕９０により形成される。
【００６３】
一対の底面接着面４５は、それぞれ圧痕６４を介して、一対の第１側面接着面４８に一体に成形される。一対の底面接着面４５は、圧痕６４が曲折されることで、側面接着面４４（第１側壁１３及び第２側壁２３）に対して直交し、底面３２と対向する。一対の底面接着面４５は、底面３２に接着される。
【００６４】
底面接着面４５は、その中心であって、圧痕６４にそれぞれ平行に形成された圧痕９１及び圧痕６４，６４の両端部からそれぞれ圧痕９１に向かって傾斜する圧痕９２が形成されている。
【００６５】
なお、底面接着面４５は、底面３２と接着したとき、圧痕９１が底面３２の圧痕８１と重なる位置に、圧痕９１が配置される。また、底面接着面４５は、圧痕６４及び圧痕９２で形成される領域を除く領域で底面３２と接着される。なお、底面接着面４５は、圧痕６４及び圧痕９２で形成される領域を除く領域で底面３２と接着されることが望ましいが、必要に応じて、底面接着面４５の全面において、底面３２と接着される構成であってもよい。圧痕９２は、その形状により、底面接着面４５の端部の変形を案内する。
【００６６】
このように、底壁案内部２５は、底面接着面４５が底面３２に接着したときに、底面３２の圧痕８１、底面接着面４５の圧痕９１及び圧痕９２により形成される。
【００６７】
一対の上面接着面４６は、それぞれ圧痕６６を介して、一対の第２側面接着面４９に一体に成形される。一対の上面接着面４６は、圧痕６６が曲折されることで、側面接着面４４（第１側壁１３及び第２側壁２３）に対して直交し、上面３４と対向する。一対の上面接着面４６は、上面３４に接着される。
【００６８】
上面接着面４６は、その中心であって、圧痕６６にそれぞれ平行に形成された圧痕９３及び圧痕６６の両端部からそれぞれ圧痕９３に向かって傾斜して形成された圧痕９４が形成されている。
【００６９】
なお、上面接着面４６は、上面３４と接着したとき、圧痕９３が上面３４の圧痕８２と重なる位置に、圧痕９３が配置される。また、上面接着面４６は、圧痕６６及び圧痕９４で形成される領域を除く領域で上面３４と接着されることが望ましい。圧痕９４は、その形状により、上面接着面４６の端部の変形を案内する。
【００７０】
このように、上壁案内部２８は、上面接着面４６が上面３４に接着したときに、上面３４の圧痕８２、上面接着面４６の圧痕９３及び圧痕９４により形成される。
【００７１】
第２前面接着面４７は、圧痕６３を介して第２前面３６と一体に成形され、圧痕６３を介して曲折されることで、第２前面３６と対向し、第２前面３６に接着される。なお、第２前面接着面４７は、第２前壁２１の内面を形成する。
【００７２】
第２ブランク４は、内体１０を展開した形状に紙素材を打ち抜き加工により切断した素材片である。第２ブランク４は、前面部７４と、一対の側面部７５と、を備えている。
【００７３】
前面部７４は、前内壁１５を形成する。前面部７４は、第１前壁１１と略同一幅に形成されるとともに、一対の圧痕７１を介して一対の側面部７５に一体に形成されている。前面部７４は、その側方から圧痕７１上を跨いで側面部７５の一部まで切断されることで設けられ、蓋体６の内面と干渉する突起部１７を構成する切断部７４ａが形成されている。前面部７４は、その上方の一部が切欠されて形成されている。また、前面部７４は、その下方が第１前壁１１の内面に接着される。
【００７４】
側面部７５は、側内壁１６を形成する。側面部７５は、第１側壁１３と略同一幅に形成される。側面部７５は、その下方が第１側壁１３の内面、具体的には第１側面接着面４８の内面に接着される。また、側面部７５は、その中心に、圧痕９６及び圧痕９６上の一部に単数又は間欠的に複数形成された切断部９７が形成されている。
【００７５】
なお、側面部７５は、第１側面接着面４８と接着したときに、圧痕９６及び切断部９７の一部が、第１側面３５の圧痕８３並びに第１側面接着面４８の圧痕８５及び切断部８６と重なるとともに、同一延長上に配置される位置に、圧痕９６及び切断部９７が配置される。側面部７５の圧痕９６及び切断部９７は、第１側壁案内部２６の一部を構成する。
【００７６】
このように構成された第１ブランク３及び第２ブランク４は、底壁案内部２５、第１側壁案内部２６、第２側壁案内部２７及び上壁案内部２８を除く、各圧痕が同方向に折りこまれるとともに、接着面３８にそれぞれ接着剤が塗布され、対応する各面に接着される。これにより、第１ブランク３は収納体５及び蓋体６を有する外体９を形成し、第２ブランク４は内体１０をそれぞれ形成する。次に、内体１０を外体９の対応する位置に接着剤により接着することで、包装容器１が組み立てられる。
【００７７】
また、包装容器１は、ブランク２から包装容器１を形成するときに、内包体に包装されたたばこ束がその内部に設けられることで、たばこ束を包装する。たばこ束を包装した包装容器１は、包装容器１の外囲が透明フィルム等の外包フィルムで外包される。これにより、たばこ商品となる。
【００７８】
次に、このように構成された包装容器１の折りたたみについて説明する。  
包装容器１は、その内部に収納された被包装体であるたばこを全て取り出し、包装容器１を廃棄する場合に、折りたたまれる。包装容器１は、それらの外周縁を押圧し、底壁案内部２５、第１側壁案内部２６、第２側壁案内部２７及び上壁案内部２８を折り曲げることで、収納体５及び蓋体６を変形させる。
【００７９】
具体的には、例えば、収納体５の折りたたみとして、底壁案内部２５を押圧しながら、第１前壁１１及び第１側壁１３の稜部の一部、並びに、第１後壁１２及び第１側壁１３の稜部の一部を押圧する。
【００８０】
なお、このとき、使用者は、例えば、底壁案内部２５を両手人差し指で押圧するとともに、第１前壁１１及び第１側壁１３の稜部の一部、並びに、第１後壁１２及び第１側壁１３の稜部の一部を、両手の親指及び中指で押圧する。また、一度の押圧で、底壁案内部２５及び第１側壁案内部２６が曲折できない場合には、当該曲折できない部位を、再度押圧する。
【００８１】
この押圧により、第１側壁１３は、第１側壁案内部２６により案内され、第１側壁案内部２６が、包装容器１の外部側に突出するように、所謂山折によって曲折する。また、底壁は、底壁案内部２５により案内されることで、底壁案内部２５が、包装容器１の内部側に突出するように、所謂谷折によって曲折する。
【００８２】
また、底壁案内部２５及び第１側壁案内部２６の曲折時に、底壁及び第１側壁１３は、底面接着面４５の圧痕６４及び圧痕９２の領域並びに第１側面接着面４８の圧痕６４及び圧痕８７の領域が、底面３２及び第１側面３５から離間する。これにより、底面接着面４５及び第１側面接着面４８は、圧痕８７，９２が、その傾斜角度に沿って曲折し、圧痕８１，８３，８５，９１の曲折により変形する収納体５の底壁及び第１側壁１３の稜部の変形を案内する。
【００８３】
具体的には、底壁案内部２５及び第１側壁案内部２６が直線状に曲折するとともに、底面接着面４５の端部及び第１側面接着面４８の端部が圧痕８７，９２に沿って曲折することで、底面接着面４５及び第１側面接着面４８の稜部（圧痕６４）が、底部３２及び第１側面３５の曲折に追従して移動する。
【００８４】
即ち、第１側面接着面４８の圧痕６４，８７による領域は、底面接着面４５と同一面で連続し、当該稜部を含む底壁案内部２５が谷折に、第１側壁案内部２６が山折にそれぞれ曲折される。このようにして、第１側壁１３及び底壁が折り曲げられ、第１前壁１１及び第１後壁１２が近接し、収納部５が折りたたまれる。
【００８５】
同様に、例えば、蓋体６の折りたたみとして、上壁案内部２８を押圧しながら、第２前壁２１及び第２側壁２３の稜部の一部、並びに、第２後壁２２及び第２側壁２３の稜部の一部を、２箇所で押圧する。
【００８６】
この押圧により、第２側壁２１は、第２側壁案内部２７の圧痕８４，８８及び切欠部８９が包装容器１の外部側に突出するように、所謂山折によって曲折する。これにより、第２前壁２１及び第２後壁２２が近接する。また、同押圧によって、上壁２４は、上壁案内部２８の圧痕８２，９３が、包装容器１の内部側に突出するように、所謂谷折によって曲折する。
【００８７】
このとき、第２側壁案内部２７の圧痕９４及び上壁案内部２８の圧痕９４が曲折することで、第２側壁２３及び上壁２４の端部の曲折を案内する。即ち、第２側壁案内部２７及び上壁案内部２８の曲折時に、第２側壁２３及び上壁２４は、第２側面接着面４９の圧痕６６及び圧痕９０の領域、並びに、上面接着面４６の圧痕６６及び圧痕９４の領域が離間する。
【００８８】
これにより、第２側壁２３及び上壁２４は、第２側壁案内部２７及び城壁案内部２８に沿って、直線状に曲折する。また、第２側面接着面４９の端部及び上面接着面４６の端部は、圧痕９０，９４に沿って曲折することで、第２側面接着面４９及び上面接着面４６の稜部（圧痕６６）が、第２側面３７及び上面３６の曲折に追従して移動する。
【００８９】
即ち、第２側面接着面４９の圧痕６６，９０による領域は、上面接着面４６と同一面で連続し、第２側壁案内部２７が山折に、当該稜部を含む上壁案内部２８が谷折に曲折される。このようにして、第２側壁２３及び上壁２４が折り曲げられ、蓋体６が折りたたまれる。
【００９０】
このように構成された包装容器１によれば、底壁案内部２５、第１側壁案内部２６、第２側壁案内部２７及び上壁案内部２８により案内されて、底壁、第１側壁１３、第２側壁２３及び上壁２４が変形することで、包装容器１を第１前面１１及び第１後面１２、並びに、第２前面２１及び第２後面２２が近接するように折りたたむことが可能となる。これにより、包装容器１の体積を容易に減少させることが可能となる。
【００９１】
また、包装容器１は、その収納部５及び蓋体６の折たたみ動作として、第１前面１１及び第２前面２１、並びに、第１後面１２及び第２後面２２を近接するように収納部５及び蓋体６を押圧すればよく、容易に折りたたむことが可能となる。
【００９２】
また、包装容器１は、折りたたむ際に、上壁２４及び底壁を押圧することで、より容易に折りたたむことが可能となる。特に、側面接着面４４の第１側面接着面４８及び第２側面接着面４９、底面接着面４５、並びに、上面接着面４６に設けた圧痕８７，９０，９２，９４により、底面接着面４５及び第１側面接着面４８の稜部（圧痕６４）、及び、上面接着面４６及び第２側面接着面４９の稜（圧痕６６）の変形が案内されることから、折りたたみが容易となる。
【００９３】
上述したように、本発明の第１の実施形態に係る包装容器１によれば、底壁、第１側壁１３、第２側壁２３及び上壁２４に、底壁案内部２５、第１側壁案内部２６、第２側壁案内部２７及び上壁案内部２８を設けることで、包装容器１を押圧した際に、包装容器１の曲折が案内されて包装容器１を折りたたみ可能となり、包装容器１の体積を容易に低減することが可能となる。
【００９４】
（第２の実施形態）
以下、本発明の第２の実施の形態に係る包装容器１Ａを、図６乃至図８を用いて説明する。  
図６は本発明の第２の実施形態に係る包装容器１Ａの構成を前方から示す斜視図、図７は包装容器１Ａに用いられる第１ブランク３Ａの構成を示す平面図、図８は包装容器１Ａに用いられる第２ブランク４Ａの構成を示す平面図である。なお、図６乃至図８の第２の実施形態に係る包装容器１Ａ中、図１乃至図５にて説明した第１の実施形態に係る包装容器１と同様の構成には同一符号を付し、その詳細な説明は省略する。
【００９５】
図６に示すように、包装容器１Ａは、収納体５Ａと、蓋体６Ａと、ヒンジ部７と、案内部８Ａと、を備えている。包装容器１Ａは、これら収納体５Ａ、蓋体６Ａ及びヒンジ部７が一体に形成される。包装容器１Ａは、被包装体の包装時においては、その側面が曲面の方体状に形成されている。
【００９６】
また、包装容器１Ａは、包装容器１Ａの外郭を形成する外体９と、外体９の内部に位置し、包装容器１の内部形状の一を形成し、図２に示す包装容器１の開状態において外部に露出する内体１０と、を備えている。
【００９７】
外体９は、収納体５Ａの一部、蓋体６Ａ及びヒンジ部７を構成する。内体１０は、収納体５Ａの他部を構成する。内体１０は、その外面が、包装容器１Ａの閉状態において、蓋体６Ａの内面と当接することで、蓋体６Ａの開状態への移動を規制可能に形成されている。
【００９８】
包装容器１Ａは、図７及び図８に示すように、紙素材から、打ち抜き加工により形成されたブランク２Ａを組み立てることで形成される。
【００９９】
このような包装容器１Ａは、例えば、被包装体である紙巻たばこを包装可能な、所謂たばこ箱であり、収納体５内部に内包体を有している。包装容器１Ａは、外体９及び内体１０の材料として、紙巻たばこを包装可能な紙素材が用いられる。当該紙素材の一例として、例えばミードウエストベーコ社製、ハイイールドプリントコート（登録商標）のグラメジが２２１ｇ／ｍ３の紙素材が用いられる。
【０１００】
図６に示すように、収納体５Ａは、外体９によって上端部が後方から前方に向って下方に傾斜して開口するとともに、当該傾斜する開口の内周面に設けられた内体１０によって、当該開口の上端から延設された壁を形成し、略方体状の上部が開口する箱体に形成される。収納体５は、外体９の一部により形成された第１前壁１１、第１後壁１２、一対の第１側壁１３Ａ及び底壁と、内体１０と、を備えている。
【０１０１】
第１側壁１３Ａは、第１前壁１１及び第１後壁１２を連結するとともに、その上端が傾斜して形成されている。また、第１側壁１３Ａは、湾曲する曲面状に形成されている。第１側壁１３Ａは、包装容器１Ａの高さ方向に延設されるとともに、その下端に略三角形状に傾斜する第１側壁案内部２６Ａが形成されている。第１側壁案内部２６Ａは、第１側壁１３に形成された複数の折線であって、第１側壁１３に力が印加された際に、変形の中心となる。
【０１０２】
底壁は、その外縁が第１前壁１１、第１後壁１２及び一対の第１側壁１３Ａに沿って形成される。例えば、底壁は、第１側壁１３Ａに隣接する対向する二辺が第１側壁１３Ａの湾曲に沿った円弧状に形成された、略長方形状に形成され、第１前壁１１、第１後壁１２及び一対の第１側壁１３Ａをこれら下端側で連結する。底壁は、図７のブランク３Ａに示すように、その中心であって、その長手方向、換言すると一対の第１側壁１３間を渡すように両端間に延設された、底壁案内部２５Ａが形成されている。
【０１０３】
内体１０は、第１前壁１１、及び、一対の第１側壁１３Ａの内面に沿って設けられている。具体的には、内体１０は図８にブランク４Ａで示すように、第１前壁１１に沿って設けられる前内壁１５及び第１側壁１３Ａに沿ってそれぞれ設けられる一対の側内壁１６Ａを備えている。側内壁１６Ａは、一対の第１側壁１３の内面にそれぞれ設けられ、第１側壁１３の上端縁からそれぞれ突出する。
【０１０４】
内体１０は、外体９の第１前壁１１及び第１側壁１３Ａに沿った壁を形成し、蓋体６Ａの案内及び蓋体６Ａのつぶれを防止可能に形成される。
【０１０５】
蓋体６Ａは、外体９の他部により構成されている。蓋体６Ａは、第２前壁２１と、第２後壁２２と、一対の第２側壁２３Ａと、上壁２４と、を備えている。蓋体６Ａは、収納体５Ａの上部を覆うことで、収納体５Ａの開口を閉塞可能に形成されている。
【０１０６】
第２側壁２３Ａは、第２前壁２１及び第２後壁２２を連結するとともに、その下端が傾斜して形成されている。また、第２側壁２３Ａは、湾曲する曲面状に形成されている。第２側壁２３Ａは、包装容器１の高さ方向、換言すると、第１側壁案内部２６Ａの延設方向と同方向、且つ、第１側壁案内部２６Ａの延長上に延設されるとともに、その上端に略三角形状に傾斜する第２側壁案内部２７Ａが形成されている。第２側壁案内部２７Ａは、第２側壁２３の折線であって、第２側壁２３に力が印加された際に、変形の中心となる。
【０１０７】
上壁２４は、その外縁が第２前壁２１、第２後壁２２及び一対の第２側壁２３Ａに沿って形成される。例えば、上壁２４は、第２側壁２３Ａに隣接する対向する二辺が、第２側壁２３Ａの湾曲に沿った円弧状に形成された、略長方形状に形成され、第２前壁２１、第２後壁２２及び一対の第２側壁２３Ａを上端側で連結する。上壁２４は、その中心であって、その長手方向、換言すると一対の第２側壁２３間を渡すように両端間に延設された上壁案内部２８Ａが形成されている。
【０１０８】
案内部８Ａは、底壁案内部２５Ａと、第１側壁案内部２６Ａと、第２側壁案内部２７Ａと、上壁案内部２８Ａと、を備えている。案内部８Ａは、包装容器１Ａに外力が印加された場合に、包装容器１Ａが、その厚み方向に変形可能に、底壁、第１、第２側壁１３Ａ，２３Ａ、上壁２４Ａが高さ方向及び幅方向に曲折可能に形成されている。
【０１０９】
次に、このような包装容器１Ａを形成するブランク２Ａについて図７及び図８を用いて説明する。なお、図７及び図８中、鎖線は、ブランク２Ａの折線を示し、実線は切断部をそれぞれ示している。
【０１１０】
図３及び図４に示すように、ブランク２Ａは、第１ブランク３Ａ及び第２ブランク４Ａを備えている。  
第１ブランク３Ａは、収納体５Ａの一部及び蓋体６Ａからなる外体９を展開した形状に紙素材を打ち抜き加工により切断した素材片である。第１ブランク３Ａは、後面３１と、底面３２と、第１前面３３と、上面３４と、一対の第１側面３５と、第２前面３６と、一対の第２側面３７と、接着面３８Ａと、を備えている。
【０１１１】
後面３１は、第１後壁１２、第２後壁２２及びヒンジ部７を組み合わせた方形状に形成され、圧痕５０，５１を介して底面３２及び上面３４と一体に形成される。後面３１は、圧痕５０，５１が曲折されることで、第１後面４１及び第２後面４２により、底面３２（底壁）及び上面３４（上壁２４）に対して直交する第１後壁１２及び第２後壁２２を構成する。
【０１１２】
底面３２は、その対向する二辺が、第１側壁１３Ａの湾曲に沿った円弧状に形成された、略長方形状に形成され、圧痕５０，５７を介して後面３１及び第１前面３３と一体に成形されている。底面３２は、圧痕５０，５７が曲折されることで、後面３１（第１後壁１２及び第２後壁２２）に対して直交する底壁を構成する。また、底面３２は、その両端が底面３２の中心に向かって傾斜することで、底面３２の側縁と略三角形状を成す圧痕９２と、底面３２の厚み方向の中心に沿って、交差する圧痕９２の頂部間を連続して圧痕５０，５７に平行に形成された圧痕８１が形成されている。
【０１１３】
第１前面３３は、第１前壁１１を形成する。第１前面３３は、方形状に形成され、圧痕５７,５８を介して底面３２及び一対の第１側面３５と一体に成形されている。
【０１１４】
上面３４は、上壁２４を形成する。上面３４は、方形状に形成され、圧痕５１,６０を介して後面３１及び第２前面３６に一体に成形されている。上面３４は、圧痕５１,６０が曲折されることで、後面３１（第１後壁１２及び第２後壁２２）及び第２前面３６（第２前壁２１）に対して直交する上壁２４を構成する。また、上面３４は、その両端が上面３４の中心に向かって傾斜するとともに、上面３４の側縁と略三角形状を成す圧痕９４と、上面３４の厚み方向の中心に沿って、交差する圧痕９４の頂部間を連続して圧痕５１，６０に平行に形成された圧痕８２と、を備えている。
【０１１５】
一対の第１側面３５Ａは、第１側壁１３Ａを形成する。第１側面３５Ａは、一つの辺、図７においては下方に位置する辺が傾斜する台形状に形成され、圧痕５８を介してそれぞれ第１前面３３と一体に成形されている。また、第１側面３５Ａは、圧痕５８が曲折されることで、包装容器１Ａの高さ方向に延設される第１側壁１３Ａを構成する。
【０１１６】
また、一対の第１側面３５Ａは、圧痕５８にそれぞれ平行に形成された複数の圧痕群８３Ａ、及び、その傾斜する辺側と相対する端部、換言すると、図７において上方の端部に略三角形状を成す圧痕８７を備えている。圧痕群８３Ａ及び圧痕８７は、第１側壁案内部２６Ａを形成する。
【０１１７】
一対の第２側面３７Ａは、第２側壁２３Ａを形成する。第２側面３７Ａは、一つの辺、図７においては、上方に位置する辺が、第１側面３５Ａの傾斜する辺と同一の角度で傾斜する台形状に形成され、圧痕６１を介してそれぞれ第２前面３６と一体に成形されている。第２側面３７Ａは、圧痕６１が曲折されることで、包装容器１Ａの高さ方向に沿って設けられる第２側壁２３Ａを構成する。
【０１１８】
また一対の第２側面３７Ａは、圧痕６１にそれぞれ平行に形成された複数の圧痕からなる圧痕群８８Ａ、及び、その傾斜する辺側とは相対する端部、換言すると、図７において下方の端部に略三角形状をなす圧痕９０を備えている。圧痕群８８Ａ及び圧痕９０は、第２側壁案内部２７Ａを形成する。
【０１１９】
接着面３８Ａは、一対の底面接着面４５と、一対の上面接着面４６と、前面接着面４７と、一対の第１後面接着面４８Ａと、一対の第２後面接着面４９Ａと、を備えている。
【０１２０】
一対の底面接着面４５は、それぞれ圧痕６４を介して、一対の第１側面３５Ａに一体に成形される。一対の底面接着面４５は、圧痕６４が曲折されることで、第１側壁１３Ａの延設方向に対して直交し、底面３２と対向し、接着される。また、底面接着面４５は、圧痕６４の両端側からそれぞれ幅が狭くなるように傾斜する圧痕９２が形成されている。即ち、圧痕９２は、底面３２と接着された際に、底面３２の圧痕９２と同一形状に形成されている。
【０１２１】
一対の上面接着面４６は、それぞれ圧痕６６を介して、一対の第２側面３７Ａに一体に形成される。一対の上面接着面４６は、圧痕６６が曲折されることで、第１側壁１３Ａの延設方向に対して直交し、上面３４と対向し、接着される。また、上面接着面４６は、圧痕６６の両端側からそれぞれ幅が狭くなるように傾斜する圧痕９４が形成されている。即ち、圧痕９４は、上面３４と接着された際に、上面３４の圧痕９４の一部と同一形状に形成されている。
【０１２２】
一対の第１後面接着面４８Ａは、第１側面３５Ａに、圧痕群８３Ａを介してそれぞれ一体に形成されている。一対の第１後面接着面４８Ａは、圧痕群８３Ａの複数の圧痕のうち、隣接する圧痕が曲折されることで、第１前面３３の面方向に沿って配置され、第１後面４１と対向し、接着される。
【０１２３】
一対の第２後面接着面４９Ａは、第２側面３７Ａに、圧痕群８８Ａを介してそれぞれ一体に形成されている。一対の第２後面接着面４９Ａは、圧痕群８８Ａの複数の圧痕のうち、隣接する圧痕が曲折されることで、第２前面３６の面方向に沿って配置され、第２後面４２と対向し、接着される。
【０１２４】
第２ブランク４Ａは、内体１０を展開した形状に紙素材を打ち抜き加工により切断した素材片である。第２ブランク４Ａは、それぞれ一対の圧痕７１を介して一体に成形された前面部７４と、一対の側面部７５Ａと、を備えている。
【０１２５】
側面部７５Ａは、側内壁１６Ａを形成する。側面部７５Ａは、第１側壁１３Ａと略同一幅に形成されるとともに、圧痕７１を介して、前面部７４に一体に成形されている。側面部７５Ａは、その下方が第１側壁１３Ａの内面に接着される。また、側面部７５Ａは、圧痕７１に平行に形成された、複数の圧痕からなる圧痕群９６Ａが形成されている。圧痕群９６Ａは、第１側面３５Ａの圧痕群８３Ａの複数の圧痕に沿って設けられ、第１側壁１３Ａの湾曲を形成するとともに、側壁案内部２６Ａの一部を構成する。
【０１２６】
このように構成された第１ブランク３Ａ及び第２ブランク４Ａは、底壁案内部２５Ａ、第１側壁案内部２６Ａ、第２側壁案内部２７Ａ及び上壁案内部２８Ａを除く、各圧痕が同方向に折りこまれるとともに、接着面３８にそれぞれ接着剤が塗布され、対応する各面に接着される。これにより、第１ブランク３Ａは収納体５Ａ及び蓋体６Ａを有する外体９を形成し、第２ブランク４Ａは内体１０をそれぞれ形成する。次に、内体１０を外体９の対応する位置に接着剤により接着することで、包装容器１Ａが組み立てられる。
【０１２７】
また、包装容器１Ａは、ブランク２Ａから包装容器１Ａを形成するときに、内包体に包装されたたばこ束がその内部に設けられることで、たばこ束を包装する。たばこ束を包装した包装容器１は、包装容器１の外囲が透明フィルム等の外包フィルムで外包される。これにより、たばこ商品となる。
【０１２８】
次に、このように構成された包装容器１Ａの折りたたみについて説明する。  
包装容器１は、その内部に収納された被包装体であるたばこを全て取り出し、包装容器１を廃棄する場合に、折りたたまれる。包装容器１は、それらの外周縁を押圧し、底壁案内部２５Ａ、第１側壁案内部２６Ａ、第２側壁案内部２７Ａ及び上壁案内部２８Ａを折り曲げることで、収納体５Ａ及び蓋体６Ａを変形させる。
【０１２９】
具体的には、収納体５Ａの折りたたみとして、底壁案内部２５Ａを押圧しながら、第１前壁１１及び第１側壁１３Ａの稜部の一部、並びに、第１後壁１２及び第１側壁１３Ａの稜部の一部を押圧する。
【０１３０】
この押圧により、第１側壁１３Ａは、第１側壁案内部２６Ａに形成された複数の圧痕のいずれかが曲折されることで案内され、包装容器１Ａの外部側に突出するように、所謂山折によって曲折する。また、底壁は、底壁案内部２５Ａにより案内されることで、底壁案内部２５Ａが、包装容器１の内部側に突出するように、所謂谷折によって曲折する。
【０１３１】
さらに、底壁案内部２５Ａ及び第１側壁案内部２６Ａの曲折時に、底壁及び第１側壁１３Ａは、その稜部（圧痕６４）が変形する。このように、収納体５Ａは、第１側壁１３Ａ及び底壁が折り曲げられ、折りたたまれる。
【０１３２】
同様に、蓋体６の折りたたみとして、上壁案内部２８Ａを押圧しながら、第２前壁２１及び第２側壁２３Ａの稜部の一部、並びに、第２後壁２２及び第２側壁２３Ａの稜部の一部を、２箇所で押圧する。
【０１３３】
この押圧により、第２側壁２１Ａは、第２側壁案内部２７Ａに形成された複数の圧痕のいずれかが曲折されることで案内され、包装容器１Ａの外部側に突出するように、所謂山折によって曲折する。また、上壁２４は、上壁案内部２８Ａにより案内されることで、上壁案内部２８Ａが、包装容器１の内部側に突出するように、所謂谷折によって曲折する。
【０１３４】
さらに、上壁案内部２８Ａ及び第２側壁案内部２７Ａの曲折時に、底壁及び第１側壁１３Ａは、その稜部（圧痕６６）が変形する。このように、蓋体６Ａは、第２側壁２３Ａ及び上壁２４が折り曲げられ、折りたたまれる。
【０１３５】
このように構成された包装容器１Ａによれば、上述した包装容器１と同様に、底壁案内部２５Ａ、第１側壁案内部２６Ａ、第２側壁案内部２７Ａ及び上壁案内部２８Ａにより案内されて、底壁、第１側壁１３Ａ、第２側壁２３Ａ及び上壁２４が変形することで、包装容器１Ａを第１前面１１及び第１後面１２、並びに、第２前面２１及び第２後面２２が近接するように折りたたむことが可能となる。これにより、包装容器１Ａの体積を容易に減少させることが可能となる。
【０１３６】
また、包装容器１Ａは、その収納部５及び蓋体６の折たたみ動作として、第１前面１１及び第２前面２１、並びに、第１後面１２及び第２後面２２を近接するように収納部５Ａ及び蓋体６Ａを押圧すればよく、容易に折りたたむことが可能となる。
【０１３７】
また、包装容器１Ａは、折りたたむ際に、上壁２４及び底壁を押圧することで、より容易に折りたたむことが可能となる。特に、底面３２、上面３４、第１側面３５Ａ、第２側面３７Ａ、底面接着面４５及び上面接着面４６に設けた圧痕８１，８２，８７，９０，９２，９４及び圧痕群８３Ａ，８８Ａにより、底壁及び第１側壁１３Ａ、並びに、第２側壁１３Ａ及び上壁２４の稜部（圧痕６４，６６）の変形が案内されることから、折りたたみが容易となる。
【０１３８】
上述したように、本発明の第２の実施形態に係る包装容器１Ａによれば、底壁、第１側壁１３Ａ、第２側壁２３Ａ及び上壁２４に、底壁案内部２５Ａ、第１側壁案内部２６Ａ、第２側壁案内部２７Ａ及び上壁案内部２８Ａを設けることで、包装容器１Ａを押圧した際に、包装容器１Ａの曲折が案内されて包装容器１Ａを折りたたみ可能となり、包装容器１Ａの体積を容易に低減することが可能となる。
【０１３９】
なお、本発明は前記実施の形態に限定されるものではない。上述した例では、包装容器１は、その形状が長方形状の構成を説明したが、これに限定されず、図９及び図１０に示す構成の包装容器１Ｂ，１Ｃであってもよい。
【０１４０】
図９は本発明の第３の実施形態に係る包装容器１Ｂの構成をブランク３で示す平面図、図１０は本発明の第４の実施形態に係る包装容器１Ｃの構成をブランク３で示す平面図である。
【０１４１】
図９に示すように、包装容器１Ｂは、上述した包装容器１と同様の構成であって、且つ、第１前壁１１、第２後壁１２及び第１側壁１３の稜部が傾斜面で面取りされた面取り部を有する構成であってもよい。
【０１４２】
また、図１０に示すように、包装容器１Ｃは、上述した包装容器１，１Ｂと同様の構成であって、且つ、第１前壁１１、第２後壁１２及び第１側壁１３の稜部が曲面で面取りされた面取り部を有する構成であってもよい。
【０１４３】
これらの包装容器１Ｂ，１Ｃの構成とする場合には、当該稜部の面取り部に対応する圧痕を複数設けるとともに、底壁（底面３２）及び上壁２４（上面３４）等の形状を、当該面取り部を有する形状に形成すればよい。
【０１４４】
また、上述した例では、包装容器１，１Ａは、その折りたたみにおいて、第１側壁１３，１３Ａ及び第２側壁２３，２３Ａを山折に、底壁及び上壁２４を谷折に曲折する構成を説明したがこれに限定されず、例えば、すべて山折に曲折させる構成であってもよく、他の組み合わせであってもよい。
【０１４５】
また、上述した例では、包装容器１，１Ａは、底壁案内部２５，２５Ａ、第１側壁案内部２６，２６Ａ、第２側壁案内部２７，２７Ａ、及び、上壁案内部２８，２８Ａに、それぞれ、底壁及び第１側壁１３．１３Ａ、並びに、第２側壁２３，２３Ａ及び上壁２４の稜部の変形を案内する圧痕８７，９０，９２，９４を設ける構成を説明したがこれに限定されない。
【０１４６】
底壁及び第１側壁１３３，１３Ａ、並びに、第２側壁２３，２３Ａ及び上壁２４の稜部の変形を案内する圧痕８７，９０，９２，９４は、底壁案内部２５，２５Ａ、第１側壁案内部２６，２６Ａ、第２側壁案内部２７，２７Ａ、及び、上壁案内部２８，２８Ａの曲折する方向によって、底壁及び第１側壁１３，１３Ａのいずれか一方、並びに、第２側壁２３，２３Ａ及び上壁２４のいずれか一方に設ける構成であってもよい。
【０１４７】
また、上述した例では、包装容器１は、底壁及び第１側壁１３並びに第２側壁２３及び上壁２４の稜部の変形を案内する案内部である圧痕８７，９０，９２，９４を、それぞれ底面接着面４５、上面接着面４６、第１側面接着面４８及び第２側面接着面４９に設ける構成を説明したがこれに限定されない。
【０１４８】
例えば、包装容器１の当該稜部を案内する案内部（圧痕８７，９０，９２，９４）は、例えば、図９及び図１０に示す包装容器１Ｂ，１Ｃのように、第１側面接着面４８及び第２側面接着面４９だけでなく、第１側面３５及び第２側面３７にも設ける構成としてもよい。また、当該案内部は、圧痕だけでなく、一部に形成された切断部であってもよい。さらに、当該案内部は、同図９及び図１０に示すように、底面接着面４５及び上面接着面４６には設けず、底面３２及び上面３４に設ける構成としてもよい。
【０１４９】
また、当該案内部は、圧痕ではなく、側面接着面の一部を切欠する構成であってもよい。例えば、図１１は、本発明の第５の実施形態に係る包装容器１Ｄの構成をブランク３Ａで示す平面図にあり、この図１１に示すように、包装容器１Ｄは、包装容器１Ａと同様の構成であって、底面接着面４５及び上面接着面４６は、当該案内部である圧痕９２，９４を有さず、当該圧痕９２，９４に相当する領域を切欠する構成としてもよい。
【０１５０】
包装容器１Ｄは、当該案内部は、一枚のブランクにより構成される、換言すると、底面３２及び上面３４の当該案内部となる領域に底面接着面４５及び上面接着面４６が接着されない構成される。このため、包装容器１Ｄは、当該案内部が、他部よりもその強度が低い脆弱部を有することとなり、別途稜部を案内する圧痕を有さなくても、底壁及び上壁２４の曲折の案内部を成す。
【０１５１】
また、包装容器１Ｄは、圧痕９２，９４に相当する領域を切欠させて、第１側面３５Ａ及び第２側面３７Ａの略中心からオフセットした位置に、底面接着面４５を配置する構成とし、第１側面３５Ａ及び第２側面３７Ａに圧痕８７，９０を設けない構成としてもよい。即ち、包装容器１Ｄの折りたたみを行う際に、第１側面３５Ａ及び第２側面３７Ａの変形中心に底面接着面４５が配置されないことで、第１側面３５Ａ及び第２側面３７Ａの強度が低下することとなる。
【０１５２】
このため、圧痕８７，９０を有さない構成であっても、当該第１側面３５Ａ及び第２側面３７Ａの中心側は、底面接着面４５が配置された他部よりもその強度が低下することとなる。結果、包装容器１Ｄは、圧痕８７，９０を有さない構成としても、第１側面３５Ａ及び第２側面３７Ａの中心側に脆弱部が形成される。この他、本発明の要旨を逸脱しない範囲で種々変形実施可能である。
【符号の説明】
【０１５３】
１…包装容器、３…第１ブランク、４…第２ブランク、５…収納体、６…蓋体、７…ヒンジ部、８…案内部、９…外体、１０…内体、１１…第１前壁、１２…第１後壁、１３…第１側壁、１５…前内壁、１６…側内壁、２１…第２前壁、２２…第２後壁、２３…第２側壁、２４…上壁、２５…底壁案内部、２６…第１側壁案内部、２７…第２側壁案内部、２８…上壁案内部。
【図１】
2014005026.tif 000003
【図２】
2014005026.tif 000004
【図３】
2014005026.tif 000005
【図４】
2014005026.tif 000006
【図５】
2014005026.tif 000007
【図６】
2014005026.tif 000008
【図７】
2014005026.tif 000009
【図８】
2014005026.tif 000010
【図９】
2014005026.tif 000011
【図１０】
2014005026.tif 000012
【図１１】
2014005026.tif 000013